(57)【要約】【課題】  画像読取装置のフレームを組み立てた際に、走査装置のガイド手段と、プラテンとの間隔を一定に維持でき、走査装置の位置の調整等を必要としないようにする。【解決手段】  読取フレーム２０において、本体フレーム２１に対して上部フレーム２２を組み合わせる状態で、プラテン２４の位置決めを上部で自動的に行い得るようにする。また、前記上部フレームの構成部材としてのフロント側フレーム３０にはガイドロッド３３を一体設け、他方のフレーム部材３５には、ガイドレール３８を一体に設けていることで、走査装置１０の長さ方向の両端部でのガイド手段が、上部フレームの組み立てと同時に形成されることになり、フレームの組み立て後に、走査装置とプラテンの位置の調整を行う必要がなくなる。【選択図】          図２
2005102010.tif 000002
【特許請求の範囲】
【請求項１】
読取フレームの上部で原稿をセットするプラテンと、前記プラテンの下面に沿って往復移動させて、原稿の画像を読み取る走査装置を設けてなる画像読取装置であって、
前記読取フレームの上部でプラテンを支持するために、
走査装置の移動方向両端部側に各々配置する第２のフレーム部材と、
前記第２のフレーム部材の間に配置し、読取フレームのフロント側とリヤ側にそれぞれ配置する第１のフレーム部材と、を組み合わせて上部フレームを構成し、
前記第１のフレーム部材の１つには、走査装置の読取り方向への移動のガイドを行うためのガイドロッドを設けたことを特徴とする画像読取装置。
【請求項２】
前記画像読取装置の上部フレームは、前記第１、２のフレーム部材を組み合わせて、前記読取フレームの上に組み立て、
前記第１のフレーム部材の１つには、走査装置の読取り方向への移動のガイドを行うためのガイドロッドを設け、
前記ガイドロッドを設けたフレーム部材に対向させて配置する他の第１フレーム部材には、走査装置をガイドするためのガイドレールを設けたことを特徴とする請求項１に記載の画像読取装置。
【請求項３】
前記画像読取装置の第１、第２のフレーム部材を組み合わせた上部フレームは、プラテンを載置・位置決めする手段を設け、
前記第２のフレーム部材の１つには、ＡＤＦに対応させた小プラテンを設けたことを特徴とする請求項１に記載の画像読取装置。
【発明の詳細な説明】
【技術分野】
【０００１】
本発明は、画像形成装置に組み合わせて設ける読取装置に関し、特に、走査装置をガイドする手段をプラテンを保持する上部フレームと一体に構成して、プラテンに対する走査装置の移動方向を規定可能にする画像読取装置に関する。
【背景技術】
【０００２】
従来より、複写機や、ファクシミリ装置と複写機手段を組み合わせた複合機のような画像形成装置においては、その装置本体の上部に画像読取装置を組み合わせて設けており、前記画像読取装置により読み取った原稿の画像情報を、記録部に伝達して記録紙を作成するようにされている。前記画像読取装置においては、原稿を載置するプラテンの下面に沿って、走査装置を移動させるように設けており、前記走査装置としては、原稿を照射するランプと、原稿からの反射光をＣＣＤに向けて反射させる複数のミラーと、前記ＣＣＤに対して光の焦点を結ばせるレンズとを設けて構成され、読み取った画像情報をデジタル信号として出力させるようにしている。
【０００３】
前記読取フレーム内でプラテンの下面に沿って移動可能に設けられる走査装置は、その移動方向に平行にガイドロッドに沿って、駆動手段により走査装置を定速で移動させるガイド機構が設けられる。ところが、前記走査装置に対するガイド機構を読取フレームに設け、プラテンをそのフレームの上部に支持させるように、全ての機構を読取フレームと一体に設けた場合には、前記読取フレームに対して組み合わせることが面倒であるという問題がある。そこで、前記読取フレームを樹脂材料で構成し、その読取フレームに対して、金属製のガイド部材や駆動手段の構成部材を位置決めするとともに、取付ける作業を容易にできて、装置の組み立て精度を向上させ得るような手段が提案されている（例えば、特許文献１を参照）。
【特許文献１】特開平７−３０７８４３号公報
【発明の開示】
【発明が解決しようとする課題】
【０００４】
ところが、前記画像読取装置においても、プラテンを支持する樹脂製の読取フレームに歪み等が生じていると、その読取フレームに支持しているガイド手段が、同様に位置決めされるという問題が残る。そのために、プラテンにセットした原稿と、走査装置の移動方向にズレ等が発生するために、読み取られた画像が斜めになって再現されるという問題が残る。しかしながら、前記走査装置をガイドする機構が、プラテンにセットする原稿に対して斜めになることは、プラテンとガイド手段等を位置決めするように、読取フレームに対して組み立てた場合には避けられないものである。
【０００５】
本発明は、プラテンを支持して走査装置をガイドする機構を、読取フレームに組み合わせる上部フレームに対して設け、走査装置が原稿に対して正確に位置決めされた状態でガイド可能な装置を提供することを目的としている。
【課題を解決するための手段】
【０００６】
本発明は、読取フレームの上部で原稿をセットするプラテンと、前記プラテンの下面に沿って往復移動させて、原稿の画像を読み取る走査装置を設けてなる画像読取装置に関する。請求項１の発明は、前記読取フレームの上部でプラテンを支持するために、走査装置の移動方向両端部側に各々配置する第２のフレーム部材と、前記第２のフレーム部材の間に配置し、読取フレームのフロント側とリヤ側にそれぞれ配置する第１のフレーム部材と、を組み合わせて上部フレームを構成し、前記第１のフレーム部材の１つには、走査装置の読取り方向への移動のガイドを行うためのガイドロッドを設けたことを特徴とする。
請求項２の発明は、前記画像読取装置の上部フレームは、前記第１、２のフレーム部材を組み合わせて、前記読取フレームの上に組み立て、
前記第１のフレーム部材の１つには、走査装置の読取り方向への移動のガイドを行うためのガイドロッドを設け、
前記ガイドロッドを設けたフレーム部材に対向させて配置する他の第１フレーム部材には、走査装置をガイドするためのガイドレールを設けたことを特徴とする。
請求項３の発明は、前記画像読取装置の第１、第２のフレーム部材を組み合わせた上部フレームは、プラテンを載置・位置決めする手段を設け、
前記第２のフレーム部材の１つには、ＡＤＦに対応させた小プラテンを設けたことを特徴とする。
【発明の効果】
【０００７】
前述したように、読取フレームの上部でプラテンを支持する上部フレームを設け、前記上部フレームを走査装置をガイドする第１フレーム部材と、それを接続する第２フレーム部材とを井桁状に組み合わせて構成することで、上部フレームの構成を簡素化することができる。そして、走査装置をガイドするガイド部材を、前記第１のフレーム部材と一体に設けることで、プラテンに対する平行性を正確に設定することが可能であり、読取フレームに何等かの理由で歪み等が生じたとしても、上部フレームにはその影響が生じることがなく、フレームの成形時の歪みが生じていたとしても。読み取った画像の情報に大きく影響が生じることがなくなる。そして、読取フレームに組み合わせて構成する走査装置を案内する手段では、その組み立て作業を容易に行うことが可能となり、読み取った画像情報が不鮮明となる等の不都合が生じることを防止できる。
【発明を実施するための最良の形態】
【０００８】
以下に説明するように、走査装置１０を往復移動させるに際してそのガイド手段の構成を簡素化できて、摩擦の小さいガイド手段とすることを可能にする構成を、以下に説明する。以下に説明する実施例においては、電子写真方式を用いて記録紙を作成する画像形成装置等に対して、画像読取装置を組み合わせて設けることが可能であるが、前記画像記録装置の構成は、特に、本発明の要旨ではないことから、画像読取装置の構成を主として説明する。
【実施例】
【０００９】
図示される例にしたがって、本発明の画像読取装置の構成を説明する。図１に示す例は、ＡＤＦ２とＦＢＳ方式の読取り手段を備えた画像読取装置１に関するものて、原稿扱い手段に対応させてその下部には読取フレーム２０を設けている。前記ＡＤＦ機能とＦＢＳ機能の各々に対応させたプラテン２３、２４を、前記読取フレーム２０の上部分の所定の位置に設け、ＡＤＦ機能を利用してシートものの原稿の読取りを行う際には、前記プラテン２３の位置に走査装置１０を停止させて読取りを行うようにする。また、ＦＢＳ機能を利用してブックものまたはシート等の原稿の読取りを行う際には、プラテン２４の上に原稿をセットし、排出トレイ９を兼ねた原稿押圧板により原稿を押圧して保持する。そして、前記プラテン２４の下面に沿わせて走査装置を移動させながら、原稿の読取りを行うことは、従来の画像読取装置と同様である。
【００１０】
前記画像読取装置１において、読取フレーム２０の上部に配置されるＡＤＦ２は、読取フレーム２０の上部のリヤ側に設けたヒンジ手段を用いて、開閉可能に設けられる上部材に一体に設けられている。前記ＡＤＦ２は、従来公知のＡＤＦと同様に、略横向きのＵ字状の搬送路６を介して、原稿トレイ３と排出トレイ９とを接続しており、前記原稿搬送路６の下部のプラテン２３に対応する部分で、搬送される原稿の画像の読取りを行う。前記原稿トレイ３からの原稿の挿入部には、ピックアップローラ４と用紙さばき装置５とを設けて、原稿トレイ３にセットした原稿に対してをさばき作用を付与し、１枚ずつ原稿搬送路６に向けて給紙する。図示する用紙さばき装置５においては、フィードローラ５ａとさばきパッド５ｂとを組み合わせて構成している。この例とは別に、前記用紙さばき装置としては、フィードローラとリタードローラとを組み合わせて、送り出した原稿の下部のものを原稿トレイに向けて戻すように構成しても良いことはもちろんである。
【００１１】
前記用紙さばき装置５を介して１枚ずつに分離された原稿は、搬送ローラ装置７により一定の速度で原稿搬送路６内を搬送されて、プラテン２３の部分で、その下部に停止されている走査装置１０により画像の読取りが行われる。そして、読取りが終了した原稿は、排出路８から排出ローラ装置８ａにより排出トレイ９に向けて排出される。なお、前記排出トレイ９は、ＦＢＳ機能の原稿押圧板の上面を用いて構成するものであり、この原稿押圧板を排出トレイとして用いることも、従来公知のＡＤＦとＦＢＳ機能を組み合わせた装置と同様に構成される。
【００１２】
前記２種類のプラテン２３、２４を設けた読取フレーム２０の内部では、１つのキャリッジを設けた走査装置１０が、前記２種類の機能に対応させて作動される。まず、ＡＤＦモードでは、ＡＤＦ２の原稿搬送路６内を搬送される原稿を、プラテン２３の位置に停止させた走査装置１０により読み取るようにする。また、ＦＢＳモードでは、プラテン２４上にセットした原稿に対して、前記プラテン２４の下面に沿って移動する走査装置により読み取る動作を制御する。前記走査装置１０は、図の横方向に移動可能に設けられるもので、移動フレーム１１の上部にはランプ１２を配置し、そのフレーム１１の内部には複数のミラー１３、１３ａ、……による光路を形成している。
【００１３】
そして、ＡＤＦ機能を用いて原稿の読取りを行う際には、原稿搬送路６内を定速で搬送する原稿をランプ１２により照射し、所定の長さに形成された光路を介して、その光路の端部に設けたレンズ１４によりＣＣＤ１５に結像させて、光信号をデジタル信号として出力させる。また、ＦＢＳ機能を用いる場合には、プラテン２４上にセットした原稿を、前記原稿の長さに対応する距離だけ走査装置１０を移動させて、原稿の画像の読取りを行い、画像の読取り情報をデジタル信号で出力するようにしている。そして、前記走査装置１０から得られる画像情報は、前記画像読取装置１に組み合わせて設ける画像形成装置に伝達して、記録紙の作成に用いることの他に、ファクシミリ装置（ＦＡＸ）の機能を利用して、遠隔地のＦＡＸに向けて送信することも可能である。さらに、前記画像読取装置をパソコン等の情報処理機器に接続する場合には、情報入力手段として用いることも従来の装置と同様である。
【００１４】
前記走査装置１０を移動可能に支持する読取フレーム２０は、図２に示すように構成されているもので、下部材としての上が開いた箱型の本体フレーム２１に対して、縦横の部材を内部にプラテンを位置させる開口を有した、枠体状に組み合わせた上部フレーム２２を組み合わせている。前記上部フレーム２２においては、走査装置の移動方向の両端部に対応する第２のフレーム部材として、一方の側のサイドフレーム２５と、他の側のサイドフレーム２６を用いている。また、第１のフレーム部材として、フロント側フレーム３０とリヤ側フレーム３５とを組み合わせて構成している。前記走査装置の移動方向の両端部側で、第２のフレーム部材としての２つのフレーム部材２５、２６と、第１のフレーム部材としてのリヤ側およびフロント側のフレーム部材３０、３５は、図示するようにそれぞれの両端部で接続された上部フレーム２２として、本体フレーム２１の上部に組み立てられる。
【００１５】
前記上部フレーム２２において、サイドフレーム２５にはＡＤＦに対応させた小プラテン２３を位置決めしており、前記４つのフレーム部材に囲まれた内部には、ＦＢＳに対応させた大プラテン２４を設けている。前記大プラテン２４の支持部は、図３に示されるように構成されるが、その構成は後で説明する。前記上部フレーム２２のうち、フロント側フレーム３０には走査装置をガイドするガイドロッド３３を一体に設けており、リヤ側フレーム３５にはガイドレール３８を一体に設けていて、前記各フレーム部材を組み立てた状態で、その内部に走査装置の両側を案内するガイド手段が一体に形成される。
【００１６】
前記フロント側とリヤ側に位置させるフレーム部材３０、３５のそれぞれは、プラテンを支持する係止部３１ａ、３６ａを設けた上板３１、３６の両端部に、折り曲げ部を介してガイド部材を設けている。前記フロント側フレーム３０においては、両端部の折り曲げ部３２、３２ａの間を接続するように、ガイドロッド３３を固定しているもので、図３、４に説明するように、前記ガイドロッド３３が走査装置１０の端部のスライド部としての、フロント側突部１７を貫通する状態で、ガイド作用を行わせている。また、リヤ側フレーム３５においては、２つの対向する折り曲げ部３７、３７ａを接続するように、ガイドレール３８を設けておき、走査装置１０のスライド部１６の下面を、前記ガイドレール３８上にスライドさせるようにして、走査装置に対するガイド作用を行うように構成している。
【００１７】
前記走査装置１０は、図３、４に示すように、読取フレームの中に設けたガイド手段としての、前記ガイドロッド３３とガイドレール３８に沿って往復移動可能に設けられている。前記読取フレーム２０の内部で前記走査装置１０を案内するために、前記走査装置１０においては、その装置フレーム１１の一方の側に設けるフロント側突部１７には、前記ガイドロッド３３を貫通させる状態の孔を設けている。また、前記フロント側突部１７には、駆動ベルト１８を固定して取付けており、前記駆動ベルト１８により走査装置１０を駆動する。前記走査装置１０の他方の側には、リヤ側突部１６を設けており、前記突部１６の下面をガイドレール３８に摺動させる状態で、移動の案内を行うようにする。
【００１８】
前記上部フレーム２２においては、フロント側フレーム３０とリヤ側フレーム３５の対向する端部には、プラテンに対する支持部３１ａ、３６ａが切欠き状に設けられている。そして、前記切り欠いた段部にプラテン２４の端部を位置決めし、その上部には、上カバーと一体に役目をする上板３１、３６を取付ける。前記上板のプラテン２４側の側面は、プラテンにセットする原稿の位置決めの基準線として設けることが可能であり、前記上板を用いた基準線と直交する基準線を、サイドフレーム２５により設定することができる。したがって、前記上部フレーム２２に取付けるプラテンは、上板を取り外すことにり、容易に上部フレームと切り離すことが可能となり、読取フレームの内部のメンテナンスや、プラテンの内面側のクリーニング作業を容易に行うことが可能となる。
【００１９】
前記走査装置１０の本体フレーム１１に対して、その主走査方向の両側部に配置する被ガイド部材では、前述したように、フロント側突部１７とリヤ側突部１６とを、それぞれ上部フレーム２２に一体に設けたガイドロッド３３と、ガイドレール３８とに案内させるようにしている。そして、前記走査装置１０を案内するフレームのガイド部材では、上部フレームの構成部材と一体に、各々のガイド部材が位置決めされているものとなり、さらに、前記上部フレームに対してプラテンが位置決めされている。したがって、前記プラテン上にセットした原稿を読み取るための走査装置１０は、前記プラテンと同一の支持フレームに設けたガイド部材に案内されることから、前記走査装置と原稿の間隔は、常に一定の間隔に維持されることになる。
【００２０】
前述したように、読取フレームに一体に設けた上部フレームにおいては、走査装置の移動方向の両端部側に設ける第２のフレーム部材としてのサイドフレーム２５、２６と、前記第２のフレーム部材の間に直交するように第１のフレーム部際を組み合わせて配置している。そして、前記第１フレーム部材では、読取フレームのフロント側とリヤ側にそれぞれ配置するフレーム部材３０、３５を平行に設けている。前記第１のフレーム部材では、ガイドロッド３３を設けたフロント側フレーム３０と、ガイドレール３８を設けたリヤ側フレーム３５とを用いているので、前記第１のフレーム部材としての２つのフレーム部材をサイドフレームと組み合わせることにより、上部フレームを容易に構成することが可能である。
【００２１】
また、前記上部フレームの各構成部材では、プラテンを位置決めして支持する部分を、一体に構成しているものであるから、走査装置とプラテンとの間隔が最初に設定した間隔に正確に設定される。したがって、前記上部フレームを読取フレームに対して組み立てた状態で、走査装置に対するガイド部材も正確に位置決めされることになるので、上部フレームを組み立てた際に、ガイド手段とプラテンの位置とが、自動的に位置決めされることにもなり、組み立て後に、走査装置の移動経路等を調節する必要がないものとされる。
【産業上の利用可能性】
【００２２】
前記本発明の実施例として説明した画像読取装置は、ＡＤＦとＦＢＳ機能を複合した装置であるが、前記走査装置はＦＢＳ機能のみを有する、小型の読取装置として構成しても良い。そして、前記読取装置において、本体フレームに対して組み合わせる上部フレームを、前記図２に説明したように、ガイド部材とプラテンの位置決め手段とを、フレーム部材に一体に設け、前記フレーム部材を組み合わせて上部フレームを構成することで、原稿と走査装置の間隔が変化しないように保持できる。したがって、前述したような走査装置に対するガイド手段を用いることにより、装置の構造を簡素化できるとともに、良好な画質の画像情報を得ることが可能である。
【図面の簡単な説明】
【００２３】
【図１】画像読取装置の構成を示す説明図である。
【図２】読取フレームと上部フレームの構成を示す説明図である。
【図３】走査装置とガイド部材の関係の説明図である。
【図４】図３の部材の配置関係を示す斜視図である。
【符号の説明】
【００２４】
１    画像読取装置、  ２    ＡＤＦ、  ３    原稿トレイ、
４    ピックアップローラ、  ５    用紙さばき装置、  ６    原稿搬送路、
７    搬送ローラ装置、  ８    排出路、  ９    排出トレイ、  １０    走査装置、  １１    移動フレーム、  １２    ランプ、  １３    ミラー、  １４    レンズ、
１５    ＣＣＤ、  １６    リヤ側突部、  １７    フロント側突部、
１８    駆動ベルト、  ２０    読取フレーム、  ２１    本体フレーム、
２２    上部フレーム、  ２３・２４    プラテン、
２５・２６    サイドフレーム、  ３０    フロント側フレーム、  ３１    上板、
３２    折り曲げ部、  ３３    ガイドロッド、  ３５    リヤ側フレーム、
３６    上板、  ３７    ガイドレール。
【図１】
2005102010.tif 000003
【図２】
2005102010.tif 000004
【図３】
2005102010.tif 000005
【図４】
2005102010.tif 000006